(57)【要約】【課題】  剛性を容易に確保することができるキャリアフレームを備えたインクジェットプリンタ装置を提供する。【解決手段】  インクジェットプリンタ装置では、搬送用ローラ６の軸部８、ギア１０およびモータ１２を保持するキャリアフレーム２は、主板部３、曲げ側板部４および曲げ上板部５を備えて構成される。曲げ側板部４および曲げ上板部５は主板部３に対して搬送用ローラ６の側に向かって曲げられている。曲げ上板部５は上板本体部５ａ、嵌め込み部５ｃおよび幅広部５ｂを備え、嵌め込み部５ｃが曲げ側板部４５の上端に形成された溝部４ａに嵌め込まれることによって、曲げ側板部４の上端部分が上板本体部５ａと幅広部５ｂとの間に挟み込まれる。【選択図】        図１
2006007647.tif 000002
【特許請求の範囲】
【請求項１】
所定の軸部に装着された紙送りのための搬送用ローラと、
前記搬送用ローラに回転駆動力を伝達するためのギアと、
前記搬送用ローラに回転駆動力を与えるモータと、
前記搬送用ローラ、前記ギアおよび前記モータを保持するキャリアフレームと
を有し、
前記キャリアフレームは、
前記搬送用ローラの前記軸部に沿って延在する主板部と、
前記主板部における軸方向両端部からそれぞれ前記搬送用ローラの側に向かって曲げられて、前記搬送用ローラの軸部、前記ギア、および前記モータを支持する曲げ側板部と、
前記主板部の上端部から前記搬送用ローラの側に向かって、前記曲げ側板部の上端部分に接触するように曲げられた曲げ上板部と、
を有し、
前記曲げ側板部は、上端に沿って設けられた所定の長さの溝部を備え、
前記曲げ上板部は、
軸方向に沿って延在する上板本体部と、
前記上板本体部の軸方向両端部に設けられ、前記溝部に嵌め込まれる嵌め込み部と、
前記嵌め込み部に設けられ、前記嵌め込み部が前記溝部に嵌め込まれた状態で前記上板本体部とで前記曲げ側板部の上端部分を挟み込んで前記曲げ側板部の軸方向の撓みを阻止するための、前記所定の長さよりも長い幅を有する幅広部と
を備えた、インクジェットプリンタ装置。
【請求項２】
紙送りのための搬送部を保持するキャリアフレームを有するインクジェットプリンタ装置であって、
前記キャリアフレームは、
一方向に延在する主板部と、
前記主板部に対して一方の側にそれぞれ曲げられて、互いに接触する第１端部と第２端部をそれぞれ有する第１曲げ側板部および第２曲げ側板部と、
を有し、
前記第１曲げ側板部は、前記第２曲げ側板部と接触する前記第１端部において前記第２曲げ側板部の前記第２端部を嵌め込むための溝部を備え、
前記第２曲げ側板部は、前記第２曲げ側板部の前記第２端部が前記溝部に嵌め込まれた状態で前記第１曲げ側板部の前記第１端部を挟み込む挟持部を備えた、インクジェットプリンタ装置。
【請求項３】
前記第２曲げ側板部は、
側板本体部と、
所定の幅を有して前記溝部に嵌め込まれる嵌め込み部と、
所定の前記幅よりも広い幅を有する幅広部と
を含み、
前記挟持部は、前記嵌め込み部が前記溝部に嵌め込まれた状態で前記側板本体部と前記幅広部とで前記第１曲げ側板部の前記第１端部を厚み方向から挟み込むよう構成された、請求項２記載のインクジェットプリンタ装置。
【請求項４】
前記挟持部は前記主板部の一方向両端側にそれぞれ形成された、請求項２または３に記載のインクジェットプリンタ装置。
【請求項５】
前記溝部は、前記第２曲げ側板部の厚さに相当する深さに形成された、請求項２〜４のいずれかに記載のインクジェットプリンタ装置。
【発明の詳細な説明】
【技術分野】
【０００１】
本発明はインクジェットプリンタ装置に関し、特に、キャリアフレームを有するインクジェットプリンタ装置に関するものである。
【背景技術】
【０００２】
プリンタ装置には、用紙の搬送方向と交差する方向に走査しながら所定のインクをヘッドから用紙に向けて吐出して画像の記録を行なうインクジェットプリンタ装置がある。ヘッドを走査するために、ヘッドは用紙の搬送方向と交差する方向に往復動するキャリアに搭載される。そのキャリアはキャリアフレームに支持されている。そのキャリアフレームには、プリンタ装置の小型化と部品点数の削減を図るために、用紙を搬送するための駆動力を与えるモータやその駆動力を伝達するギアも搭載されるようになってきた。
【０００３】
そのようなキャリアフレームの一例として、特許文献１に記載されたインクジェットプリンタ装置に適用されているキャリアフレームについて説明する。図６に示すように、キャリアフレーム１０２では、主板部１０３と、主板部１０３に対してそれぞれ曲げられた曲げ上面部１０５および曲げ側面部１０４とが設けられている。このキャリアフレーム１０２に、モータやギア（いずれも図示せず）等が保持されることになる。
【０００４】
曲げ上面部１０５と曲げ側面部１０４とはカシメにより互いに固定されている。すなわち、図７に示すように、曲げ上面部１０５の端部には突出部１０５ａが設けられ、一方、曲げ側面部１０４には、この突出部１０５ａを挿通する開口部１０４ａが設けられている。突出部１０５ａを開口部１０４ａに挿通させた後に、突出部１０５ａがかしめられている。
【０００５】
このようにして主板部１０３に対してそれぞれ曲げられた曲げ上面部１０５と曲げ側面部１０４とを固定することによって、キャリアフレーム１０２の剛性を確保している。
【特許文献１】特開２００２−１９２７８８号公報
【発明の開示】
【発明が解決しようとする課題】
【０００６】
しかしながら、従来のインクジェットプリンタ装置では次のような問題点があった。上述したように、曲げ上面部１０５と曲げ側面部１０４とをカシメにより固定するために、カシメのための工程が別途必要になる。また、曲げ上面部１０５に設けた突出部１０５ａを曲げ側面部１０４に設けた開口部１０４ａに挿通させるために、位置精度が要求されて組立作業性が悪いという問題があった。
【０００７】
本発明は上記問題点を解決するためになされたものであり、その目的は、剛性を容易に確保することができるキャリアフレームを備えたインクジェットプリンタ装置を提供することである。
【課題を解決するための手段】
【０００８】
本発明に係るインクジェットプリンタ装置は、紙送りのための搬送用ローラとギアとモータとキャリアフレームとを有している。搬送用ローラは所定の軸部に装着されている。ギアは搬送用ローラに回転駆動力を伝達する。モータは搬送用ローラに回転駆動力を与える。キャリアフレームは搬送用ローラ、ギアおよびモータを保持している。そのキャリアフレームは、主板部と曲げ側板部と曲げ上板部とを有している。主板部は搬送用ローラの軸部に沿って延在している。曲げ側板部は主板部における軸方向両端部からそれぞれ搬送用ローラの側に向かって曲げられて、搬送用ローラの軸部、ギアおよびモータを支持している。曲げ上板部は、主板部の上端部から搬送用ローラの側に向かって、曲げ側板部の上端部分に接触するように曲げられている。その曲げ側板部は、上端に沿って設けられた所定の長さの溝部を備えている。曲げ上板部は軸方向に沿って延在する上板本体部と、上板本体部の軸方向両端部に設けられ溝部に嵌め込まれる嵌め込み部と、嵌め込み部に設けられ、嵌め込み部が溝部に嵌め込まれた状態で上板本体部とで曲げ側板部の上端部分を挟み込んで曲げ側板部の軸方向の撓みを阻止するための所定の長さよりも長い幅を有する幅広部とを備えている。
【０００９】
この構成によれば、曲げ上板部を曲げることで、曲げ上板部の嵌め込み部が曲げ側板部の上端に設けられた溝部に嵌め込まれることになる。これにより、曲げ側板部の上端部分が曲げ上板部の上板本体部と幅広部との間に挟み込まれることになる。その結果、曲げ側板部の軸方向の撓みが阻止されて、キャリアフレームの剛性を容易に高めることができる。しかも、曲げ上板部を曲げることで嵌め込み部が溝部に嵌め込まれるため、従来に比べて組立を比較的容易に行なうことできる。
【００１０】
本発明に係る他のインクジェットプリンタ装置は、紙送りのための搬送部を保持するキャリアフレームを有するインクジェットプリンタ装置である。そのキャリアフレームは、一方向に延在する主板部と第１曲げ側板部および第２曲げ側板部とを有している。第１曲げ側板部および第２曲げ側板部は、主板部に対してそれぞれ一方の側に曲げられて互いに接触する第１端部と第２端部をそれぞれ有している。また、第１曲げ側板部は、第２曲げ側板部と接触する第１端部において第２曲げ側板部の第２端部を嵌め込むための溝部を備えている。そして、第２曲げ側板部は、第２曲げ側板部の第２端部が溝部に嵌め込まれた状態で第１曲げ側板部の第１端部を挟み込む挟持部を備えている。
【００１１】
この構成によれば、第２曲げ側板部を曲げることで、第２曲げ側板部の第２端部に形成された挟持部が第１曲げ側板部の第１端部を挟持することができる。その結果、第１曲げ側板部の撓みが阻止されて、キャリアフレームの剛性を容易に高めることができる。しかも、第２曲げ側板部を曲げることで第１曲げ側板部が挟持されるため、従来に比べて組立を比較的容易に行なうことできる。
【００１２】
第２曲げ側板部により第１曲げ側板部を挟持するために、第２曲げ側板部は、側板本体部と、所定の幅を有して前記溝部に嵌め込まれる嵌め込み部と、所定の前記幅よりも広い幅を有する幅広部とを含み、挟持部は、嵌め込み部が溝部に嵌め込まれた状態で側板本体部と幅広部とで第１曲げ側板部の第１端部を厚み方向から挟み込むよう構成されていることが好ましい。
【００１３】
より強固にキャリアフレームの剛性を高めるためには、挟持部は主板部の一方向両端側にそれぞれ形成されていることが好ましい。
【００１４】
また、第１曲げ側板部の第１端部が第２側板部より突出しないようにするために、溝部は、第２曲げ側板部の厚さに相当する深さに形成されていることが好ましい。
【発明を実施するための最良の形態】
【００１５】
本発明の実施の形態に係るインクジェットプリンタ装置について説明する。図１に示すように、インクジェットプリンタ装置には、所定の軸部８に紙送りのための搬送用ローラ６が装着されている。その軸部８には、搬送用ローラ６に回転駆動力を伝達するためのギア１０が取付けられている。軸部８およびギア１０はキャリアフレーム２に保持されている。そのキャリアフレーム２には、搬送用ローラ６に回転駆動力を与えるモータ１２も保持されている。
【００１６】
キャリアフレーム２は、主板部３、曲げ側板部４および曲げ上板部５とを有して構成される。主板部３は軸部８に沿って一方向に延在している。曲げ側板部４は、主板部３に対して搬送用ローラ６の側に向かって曲げられて、搬送用ローラ６の軸部８、ギア１０、およびモータ１２を支持している。曲げ上板部５は、主板部３に対して曲げ側板部と同様に搬送用ローラ６の側に向かって、曲げ側板部４の上端部分に接触するように曲げられている。
【００１７】
図２に示すように、曲げ側板部４５には、上端に沿って所定の長さＬ1と深さＤの溝部４ａが形成されている。一方、曲げ上板部５は軸部に沿って一方向に延在する上板本体部５ａを有する。その上板本体部５ａの軸方向端部には、溝部４ａに嵌め込まれる幅Ｌ2の嵌め込み部５ｃが設けられている。この幅Ｌ2は、溝の幅Ｌ1とほぼ同じ長さとされる。さらに、嵌め込み部５ｃの軸方向端部には、溝部４ａの長さ幅Ｌ1よりも長い幅を有する幅広部５ｂが設けられている。嵌め込み部５ｃが溝部４ａに嵌め込まれることによって、曲げ側板部４の上端部分が上板本体部５ａと幅広部５ｂとの間に挟み込まれることになる。
【００１８】
次に、そのようなキャリアフレーム２の組立て手順について簡単に説明する。まず、主板部３、曲げ側板部４および曲げ上板部５に対応する部分がカットされた板状のフレーム部材が作製される。曲げ側板部に対応する部分が主板部に対応する部分に対して略垂直に曲げられて、軸部８およびモータ１２等が取付けられる。次に、図３に示すように、曲げ上板部に対応する部分が矢印に示すように曲げ側板部４の上端部分に接触するように曲げられる。
【００１９】
つまり、主板部に対応する部分に対して、曲げ上板部に対応する部分と曲げ側板部に対応する部分とが同じ側に曲げられて、曲げ側板部の上端部分と曲げ上板部の軸方向と直交する方向に位置する端部とが接触することになる。曲げ上板部に対応する部分が曲げられることで、図４に示すように、曲げ上板部に対応するする部分の嵌め込み部５ｃが溝部４ａに嵌め込まれる。以上のようにしてキャリアフレーム２が組立てられる。
【００２０】
上述したキャリアフレームを備えたインクジェットプリンタ装置では、曲げ上板部５の嵌め込み部５ｃが曲げ側板部４の上端に設けられた溝部４ａに嵌め込まれることになる。これにより、図５に示すように、曲げ側板部４の上端部分が曲げ上板部５の上板本体部５ａと幅広部５ｂとの間に挟み込まれることになる。その結果、曲げ側板部４の軸方向（矢印２１）の撓みが阻止されて、キャリアフレームの剛性を容易に高めることができる。
【００２１】
しかも、曲げ上板部５を曲げることで嵌め込み部５ｃが溝部４ａに嵌め込まれるため、従来のインクジェットプリンタ装置におけるカシメほど高い位置精度が要求されず、組立を比較的容易に行なうことできる。
【００２２】
また、曲げ側面部４に形成される溝部４ａの深さＤを、曲げ上面部５の厚さに相当する深さに形成してもよい。そうすることで、曲げ側板部４の上端部分が曲げ上面部５の上板本体部５ａ上に突出せずに上板本体部５ａとほぼ同じ位置にすることができる。
【００２３】
なお、今回開示された実施の形態はすべての点で例示であって制限的なものではない。本発明は上記で説明した範囲ではなく、特許請求の範囲によって示され、特許請求の範囲と均等の意味および範囲でのすべての変更が含まれることが意図される。
【図面の簡単な説明】
【００２４】
【図１】本発明の実施の形態に係るインクジェットプリンタ装置の要部を示す部分斜視図である。
【図２】同実施の形態において、図１に示す曲げ上板部と曲げ側板部の構造を示す部分分解斜視図である。
【図３】同実施の形態において、キャリアフレームの組立て手順の一工程を示す部分斜視図である。
【図４】同実施の形態において、図３に示す工程の後に行われる工程を示す部分斜視図である。
【図５】同実施の形態において、曲げ上板部が曲げ側板部を挟み込む様子を示す部分平面図である。
【図６】従来のインクジェットプリンタ装置におけるキャリアフレームを示す斜視図である。
【図７】図６に示すキャリアフレームにおけるカシメ部分を示す部分拡大斜視図である。
【符号の説明】
【００２５】
２  キャリアフレーム、３  主板部、４  曲げ側板部、５  曲げ上板部、５ａ  上板本体部、５ｂ  幅広部、５ｃ  嵌め込み部、６  搬送用ローラ、８  軸部、１０  ギア、１２  モータ。
【図１】
2006007647.tif 000003
【図２】
2006007647.tif 000004
【図３】
2006007647.tif 000005
【図４】
2006007647.tif 000006
【図５】
2006007647.tif 000007
【図６】
2006007647.tif 000008
【図７】
2006007647.tif 000009